(57)【要約】【課題】  車両用収納ボックスの収納容積をより有効に利用する。【解決手段】  一端開放の収納空間１１を規定するボックス本体１２と、該ボックス本体の開口１３を開閉するリッド１４と、該リッドの背面に箱入りティッシュ製品１６を保持し、該ティシュ製品の箱から内部のティッシュペーパを引出可能とするティッシュ取出し開口１９が形成された内蓋１８とを備える車両用収納ボックス。内蓋１８はリッドに取り外し可能に枢着されている。【選択図】  図１
2006015882.tif 000002
【特許請求の範囲】
【請求項１】
一端開放の収納空間を規定するボックス本体と、該ボックス本体の開口を開閉するリッドと、該リッドの背面に箱入りティッシュ製品を保持し、該ティシュ製品の箱から内部のティッシュペーパを引出可能とするティッシュ取出し開口が形成された内蓋とを備え、該内蓋が前記リッドに取り外し可能に枢着されていることを特徴とする車両用収納ボックス。
【請求項２】
前記リッドの縁部には枢軸が形成され、前記内蓋には互いに共同して前記枢軸を挟持すべく前記内蓋から前記枢軸に向けて伸長する一対の挟持部が形成され、該挟持部で前記内蓋が前記リッドに取り外し可能に枢着されている請求項１に記載の車両用収納ボックス。
【請求項３】
さらに、前記内蓋には、前記ティッシュ製品の保持姿勢で前記リッドに係止可能の係合部が前記挟持部の近傍に設けられている請求項２に記載の車両用収納ボックス。
【発明の詳細な説明】
【技術分野】
【０００１】
本発明は、自動車のインストルメントパネルに組み込まれるグローブボックスのような車両用収納ボックスに関する。
【背景技術】
【０００２】
従来、グローブボックスのような車両用収納ボックスの開口を開閉するリッドの背面に、箱入りティッシュ製品を保持することが提案されている（例えば、特許文献１参照。）。この従来技術では、ティッシュ取出し開口が形成されたティッシュホルダがリッドの背面に向けての付勢力を受けることにより、箱入りティッシュ製品がティッシュホルダとリッド背面との間で挟持される。
【０００３】
この従来のグローブボックス構造によれば、グローブボックスのリッドを開くことにより、ティッシュホルダのティッシュ取出し口からティッシュペーパを引出すことができ、また挟持されるティッシュ製品の箱の高さ寸法の大小に拘わらず、リッド背面と、該リッド背面への付勢力を受けるティッシュホルダとの間に確実にティッシュ製品を保持することができる。
【特許文献１】特開２００３−２６７１４４号公報（第３−４頁、図４）
【発明の開示】
【発明が解決しようとする課題】
【０００４】
しかしながら、従来の前記グローブボックス構造では、ティッシュホルダをリッドから取り外すことはできない。そのため、箱入りティッシュ製品をティシュホルダで保持しないティッシュホルダの不使用時であっても、このティッシュホルダがグローブボックス内の収納空間の一部を占めることから、ティッシュホルダの不使用時にグローブボックス内の収納空間の容積を有効に利用することができなかった。また、ティッシュホルダには、ティッシュ取出し開口が形成されていることから、このリッド裏のティッシュホルダにより区画される空間を該ティッシュホルダの前記取出し開口よりも小さな他の小物の収納空間に転用することはできなかった。
【０００５】
そこで、本発明の目的は、収納ボックスの収納容積をより有効に利用し得る車両用収納ボックスを提供することにある。
【課題を解決するための手段】
【０００６】
本発明は、一端開放の収納空間を規定するボックス本体と、該ボックス本体の開口を開閉するリッドと、該リッドの背面に箱入りティッシュ製品を保持し、該ティシュ製品の箱から内部のティッシュペーパを引出可能とするティッシュ取出し開口が形成された内蓋とを備え、該内蓋を前記リッドに取り外し可能に枢着したことを特徴とする。
【０００７】
本発明に係る収納ボックスによれば、ティッシュ取出し開口が形成され、箱入りティッシュ製品をリッドの裏側に保持するための内蓋が、リッドに取り外し可能に枢着されていることから、内蓋を箱入りティッシュ製品のホルダとして使用しないとき、これを前記リッドから取り外すことにより、不要な内蓋を収納ボックスの収容空間から除去することができ、その分、収納ボックス内の収容空間を広く使用することができる。
【０００８】
しかも、ティッシュ取出し開口が形成された内蓋に代えて、開口が形成されていない他の内蓋をリッドに枢着することにより、リッドの裏側の従来ティッシュ製品専用空間として使用されていた収納空間が開口の無い前記内蓋により規定されることから、このティッシュ製品用の収納空間を小物収納空間に転用することができ、ティッシュ製品用の収容空間に汎用性が与えられる。
【０００９】
リッドにその内蓋を取り外し可能に枢着するために、リッドの縁部に枢軸を形成し、内蓋には互いに共同してリッドの枢軸を挟持すべく内蓋から前記枢軸に向けて伸長する一対の挟持部を形成することができる。このような挟持部は例えば合成樹脂材料で形成される内蓋に一体で樹脂成形により形成することができる。
【００１０】
前記挟持部に近接して、内蓋に、前記ティッシュ製品の保持姿勢でリッドに係止可能の係合部を設けることができる。この係合部は、前記挟持部がその欠損によって例え枢軸を挟持する機能を失っても、内蓋をリッドの縁部に係止させることにより、該リッドからの内蓋の脱落を防止する。従って、前記した係合部を設けることにより、前記挟持部の欠損時においても内蓋の使用が可能となる。
【発明の効果】
【００１１】
本発明によれば、前記したように、箱入りティッシュ製品のホルダとして内蓋を使用しないとき、この不要な内蓋をリッドから取り外すことにより、これを収納ボックスの収容空間から除去することができ、その分、収納ボックス内の収容空間を広く使用することができる。
【００１２】
また、ティッシュ取出し開口が形成されていない他の内蓋をリッドに枢着することにより、リッドの裏側の従来ティッシュ製品専用空間として使用されていた収納空間を小物収納空間に転用することができ、ティッシュ製品用の収容空間の用途が広がる。
【発明を実施するための最良の形態】
【００１３】
本発明を図示の実施例に沿って以下に説明する。
【実施例】
【００１４】
本発明に係る収納ボックス１０は、図１に示すように、一端開放の収納空間１１を規定するボックス本体１２と、該ボックス本体の開口１３を開閉するリッド１４とを備える。収納ボックス１０は、例えば自動車の運転席前から助手席前に延在するインストルメントパネル（図示せず）の助手席側部分に、グローブボックスとして設けられる。
【００１５】
リッド１４は、図示の例では、ボックス本体１２の上縁部に設けられた図示しない水平枢軸の回りに、上縁で回転可能に支持された下開きのリッドである。このリッド１４を図１に示す開放位置に解除可能に保持するために、前記水平枢軸に関連して、図示しないが従来よく知られた回転式クリック機構のような位置決め機構が組み込まれる。このクリック機構によれば、リッド１４の開放操作時、適正な節度感でリッド１４を図示の開放位置に操作し、当該開放位置に保持させることができる。また、開放位置にあるリッド１４を節度感のある操作で開口１３の閉鎖位置へ向けて操作することができる。
【００１６】
ボックス本体１２の開口１３の下縁部にはロック機構１５が設けられている。このロック機構１５は、従来よく知られているように、リッド１４の背面の前縁に設けられたフック（図示せず）を受け入れることにより、リッド１４を前記閉鎖位置に係止し、ロック機構１５の操作によって、その係止機能を解除することができる。
【００１７】
リッド１４の背面には、箱入りティッシュ製品１６（図２参照）をそのティッシュ取り出し口１６ａが設けられた面と反対側の底部から受け入れる全体に矩形の凹所１７が形成されている。また、リッド１４には、前記凹所１７に収容された箱入りティッシュ製品１６をそのティッシュ取り出し口１６ａが設けられた面から保持するための合成樹脂材料から成る内蓋１８が枢着されている。
【００１８】
内蓋１８は、図２に示すように、箱入りティッシュ製品１６のティッシュ取り出し口１６ａが設けられた面を覆う全体に矩形の平面部１８ａを備え、この平面部１８ａにはティッシュ取り出し口１６ａを露出させるに充分なティッシュ取出し開口１９が形成されている。また、図示の例では、内蓋１８の平面部１８ａには、該平面部の両側から箱入りティッシュ製品１６の両側面に沿って立ち上がる一対の側壁部１８ｂ、１８ｂが一体的に形成されている。
【００１９】
内蓋１８の内縁すなわち平面部１８ａの内縁には、図１及び図２に示すように、その縁部に沿って互いに間隔をおき、それぞれがリッド１４の縁部に枢着される２組の枢着部２０が形成され、また、各枢着部２０に近接して平面部１８ａの縁部外方に張り出す張出部２１がそれぞれ内蓋１８と一体的に形成されている。他方、平面部１８ａの外縁には、リッド１４の背面に設けられた係止部（図示せず）に係止可能のフック部２２ａを有する全体にＵ字状の弾性変形可能のフック２２が設けられている。
【００２０】
図３及び図４に示すように、リッド１４の背面には、折返し縁部１４ａが形成されており、該折返し縁部には、各枢着部２０及び張出部２１に対応して、枢軸２３及び切欠き縁２４が形成されている。
【００２１】
内蓋１８の各枢着部２０は、図３に示すように、平面部１８ａの内側縁から互いに共同して枢軸２３をその両側から取り囲む半円状の円弧部分２０ａと、該円弧部の先端にそれぞれ連なり、それらの間に枢軸２３の割り込みを許す開拡部分２０ｂとを備える一対の挟持部から成る。各枢着部すなわち各挟持部２０は、内蓋１８と一体的に樹脂成形され、弾性を有する。内蓋１８に形成された各挟持部２０の一対の開拡部分２０ｂからリッド１４に形成された対応する枢軸２３を弾性に打ち勝って円弧部分２０ａ間に割り込ませることができる。この割り込み挿入により、内蓋１８をリッド１４に枢着することができ、内蓋１８の枢着状態では、内蓋１８は、図３に仮想線で示す垂直姿勢と箱入りティッシュ製品１６を保持する実線で示す保持姿勢との間で、揺動可能である。
【００２２】
内蓋１８に形成された張出部２１は、図５に示すように、内蓋１８が箱入りティッシュ製品１６の保持姿勢にあるとき、内蓋１８の縁部から折返し縁部１４ａ上に伸びることにより、張出部２１の先端が折返し縁部１４ａに係止される。張出部２１は、内蓋１８の前記保持姿勢と図３に仮想線で示す垂直姿勢との間での揺動を阻止することはない。
【００２３】
挟持部２０によってリッド１４に枢着される内蓋１８は、箱入りティッシュ製品１６の前記保持姿勢では、その内縁に形成された挟持部２０及び張出部２１がそれぞれリッド１４の枢軸２３及び切欠き縁２４に係合し、またその外縁に形成されたフック２２がリッド１４の前記係止部に係合することから、箱入りティッシュ製品１６のティッシュ取り出し口１６ａを内蓋１８のティッシュ取出し開口１９に対応させて、リッド１４の背面に確実に保持する。従って、リッド１４を開放することにより、箱入りティッシュ製品１６の箱の内部からティッシュペーパを内蓋１８のティッシュ取出し開口１９を経て取り出すことができる。
【００２４】
内蓋１８の不要時は、内蓋１８の挟持部２０をリッド１４の枢軸２３から引き抜くことにより、内蓋１８をリッド１４から取り外すことができる。この取り外しでは、枢軸２３が弾性を有する挟持部２０を押し広げることから、単に内蓋１８を例えば手前に引き下ろすことにより、比較的簡単に取り外すことができる。また、取り外した内蓋１８は、前記したように、挟持部２０への枢軸２３の割り込み操作によって、簡単にリッド１４に取り付けることができる。
【００２５】
例えば、前記したような内蓋１８のリッド１４からの取り外しあるいはリッド１４への取付け操作で挟持部２０に例え欠損が生じても、内蓋１８の内縁に形成された張出部２１が内蓋１８の外縁に形成されたフック２２と共同して内蓋１８を箱入りティッシュ製品１６の前記保持姿勢で保持する。従って、挟持部２０の欠損時においても、内蓋１８を箱入りティッシュ製品１６の保持姿勢で確実に保持できるので、箱入りティッシュ製品１６のホルダとして利用することができる。
【００２６】
また、内蓋１８は、取り外し自在であることから、前記したと同様な挟持部２０、張出部２１及びフック２２が設けられた他の内蓋を利用することができ、これによりデザインを相互に異にした前記したと同様な内蓋に取り替えることができる。
【００２７】
また、内蓋１８として、ティッシュ取出し開口１９を有しない内蓋を用いることにより、この内蓋とリッド１４の凹所１７との間でリッド１４の背面に閉鎖された小物室を規定することができ、箱入りティッシュ製品１６以外のティッシュ取出し開口１９よりも小型の小物入れ収納空間として、リッド１４の背面空間を利用することができる。この小物入れ収納空間に収容する小物には、例えばＣＤやＭＯのような記録媒体、サングラス、折り畳み傘、救急セットあるいはカード類がある。
【図面の簡単な説明】
【００２８】
【図１】本発明に係るグローブボックスを示す斜視図である。
【図２】図１に示したグローブボックスの内蓋を示す斜視図である。
【図３】内蓋の箱入りティッシュ製品を保持する姿勢での挟持部とリッドの枢軸との結合関係を示す断面図である。
【図４】図１に示した内蓋とのリッドとの係合状態を模式的に示す断面図である。
【図５】内蓋の箱入りティッシュ製品を保持する姿勢での係合部とリッドとの係合関係を示す断面図である。
【符号の説明】
【００２９】
１０  収納ボックス
１１  収納空間
１２  ボックス本体
１３  開口
１４  リッド
１６  箱入りティッシュ製品
１８  内蓋
１９  ティッシュ取出し開口
２０  挟持部
２１  張出部（係合部）
２３  枢軸
【図１】
2006015882.tif 000003
【図２】
2006015882.tif 000004
【図３】
2006015882.tif 000005
【図４】
2006015882.tif 000006
【図５】
2006015882.tif 000007